【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
アクセスポートを位置決めするように適合化された胃バンドシステムにおいて、
針を受け入れるためのアクセスポートを有する胃バンドであって、注入ラインを有する胃バンドと、
ロケータとを備え、
上記アクセスポートは高周波識別（ＲＦＩＤ）タグを備え、
上記ロケータは、
質問信号を発生する高周波送信機と、
２つ以上のアンテナを有するアレイ面を有するアンテナアレイと、
位置処理モジュールとを備え、
上記ＲＦＩＤタグは、送信される上記質問信号に応答してタグ応答信号を発生するように動作し、
上記アレイは、上記高周波送信機によって上記質問信号を送信しかつ上記タグ応答信号を受信するように動作可能であり、
上記位置処理モジュールは、上記タグ応答信号を処理して上記アクセスポートに関する位置情報を決定する胃バンドシステム。
【請求項２】
上記アクセスポートは上記針を受け入れるための表面部を備え、
上記ＲＦＩＤタグは、少なくとも部分的に上記ポートの上記受け入れ表面部の概略周辺に位置合わせされたアンテナを備え、
上記位置情報は、実質的に上記受け入れ表面部の中心に存在することを示す請求項１記載のシステム。
【請求項３】
上記アンテナアレイは、互いから等しい距離に位置合わせされた少なくとも２組のアンテナのペアを備え、上記アンテナはそれぞれ上記アンテナアレイの中心軸から等しい距離に配置された請求項１記載のシステム。
【請求項４】
上記位置処理モジュールは上記アンテナの各ペアに関する差信号を処理して上記アクセスポートに関する位置情報を決定し、
上記差信号は上記各アンテナによって受信される上記タグ応答信号に基づいて発生される請求項３記載のシステム。
【請求項５】
上記ロケータはさらに、上記アンテナアレイによって上記タグ応答信号に基づいて発生される和信号を処理して、上記ＲＦＩＤタグに関連づけられるメモリに格納されたタグデータを取得するタグデータ処理モジュールを備えた請求項１記載のシステム。
【請求項６】
胃バンドのアクセスポート等の埋め込み可能な医療機器を位置決めするためのロケータ装置であって、
読取り信号を発生する送信機と、
埋め込み可能な医療機器上に取り付けられた識別タグからの上記読取り信号に応答する応答信号を受信するアンテナアレイと、
位置処理モジュールとを備え、
上記アンテナアレイは、平面の取付け構成要素上に、ダイヤモンドパターンで上記ダイヤモンドパターンの中心から所定の距離に存在するように取り付けられた４つのアンテナを備え、
上記アンテナアレイは、上記受信される応答信号に基づいて、対向するアンテナのペアで差信号を発生し、
上記位置処理モジュールは、上記差信号を処理して上記埋め込み可能な医療機器の上記アンテナアレイに対する位置情報を決定するロケータ装置。
【請求項７】
上記識別タグはＲＦＩＤタグであり、
上記送信機は高周波送信機であり、
上記装置はさらに、上記差信号を上記送信される読取り信号のサンプルと混合し、上記混合された信号からバックグランドノイズをろ波して同相タグ応答信号及び直角位相タグ応答信号を発生するように動作する受信機処理モジュールを備え、
上記位置処理モジュールは上記同相タグ応答信号及び上記直角位相タグ応答信号を処理して上記位置情報を決定する請求項６記載の装置。
【請求項８】
上記アンテナアレイはさらに、上記アンテナの対向する各ペアに関する和信号を出力するように構成され、
上記装置は、上記和信号を処理して上記タグ応答信号内に提供される上記識別タグのメモリに格納されたデータを識別するタグデータ処理モジュールをさらに備えた請求項６記載の装置。
【請求項９】
ポートを位置決めするように適合化されたシステムであって、
針を受け入れるためのポートを有する埋め込み可能な医療機器であって、注入ラインを有する埋め込み可能な医療機器と、
ロケータとを備え、
上記ポートは高周波識別（ＲＦＩＤ）タグを備え、
上記ロケータは、質問信号を発生する高周波送信機と、アンテナアレイと、位置処理モジュールとを備え、
上記ＲＦＩＤタグは、送信される上記質問信号に応答してタグ応答信号を発生するように動作し、
上記アンテナアレイは、上記高周波送信機によって上記質問信号を送信しかつ上記タグ応答信号を受信するように動作可能であり、
上記アンテナアレイは、互いから等しい距離に位置合わせされた少なくとも２組のアンテナのペアを備え、上記アンテナはそれぞれ上記アンテナアレイの中心軸から等しい距離に配置され、
上記位置処理モジュールは、上記タグ応答信号を処理して上記アクセスポートに関する位置情報を決定するシステム。
【請求項１０】
上記位置情報は、信号強度値を含む請求項９記載のシステム。
【請求項１１】
上記ロケータはさらに、上記アンテナアレイによって上記タグ応答信号に基づいて発生される和信号を処理して、上記ＲＦＩＤタグに関連づけられるメモリに格納されたタグデータを取得するタグデータ処理モジュールを備えた請求項９記載のシステム。
【請求項１２】
医療機器へのアクセスを提供するように患者の皮膚下に位置合わせするためのアクセスポートであって、
ロケータから質問信号を受信するためのアンテナと、
ポート情報を格納するメモリと、
上記受信された質問信号に応答して、上記格納されたポート情報の少なくとも一部を含む応答信号を発生するための回路とを備え、これにより、上記ロケータは上記アクセスポートに関する位置情報を決定するように機能するアクセスポート。
【請求項１３】
上記アクセスポートは針を受け入れるための表面部を備え、
上記アンテナは少なくとも部分的に上記ポートの上記受け入れ表面部の概略周辺に位置合わせされ、
上記位置情報は、上記ロケータが上記ポートの受け入れ表面部に近接していることを示す請求項１２記載のアクセスポート。
【請求項１４】
上記ロケータをさらに備え、上記ロケータは、上記質問信号を送信しかつ上記応答信号を受信するために用いられるアンテナを有するアレイ面を有するアンテナアレイを備えた請求項１２記載のアクセスポート。
【請求項１５】
上記応答信号を処理して上記アクセスポートに関する上記位置情報を決定することができる位置処理モジュールをさらに備えた請求項１４記載のアクセスポート。
【手続補正２】
【補正対象書類名】明細書
【補正対象項目名】００３０
【補正方法】変更
【補正の内容】
【００３０】
この目的のために、ポート１２０は、ポート１２０の壁１２２上へ取り付けられたＲＦＩＤタグ１２８を含むことによって「ＲＦＩＤを使用可能に（ＲＦＩＤ−ｅｎａｂｌｅｄ）」される。タグ１２８のアンテナ１２９は、好ましくは、ポートの壁１２２上へ取り付けられること等によって、略円形の面部又は表面部１２４の概略周辺又は外周に延在するように位置合わせされる。この方法では、ロケータ１５０からの質問信号に応答してＲＦＩＤタグ１２８から送信される信号１６２は、ポート１２０の面部又は表面部１２４の中心１２６の位置決め又は識別を容易にする。或いは、アンテナ１２９はタグ１２８内に取り付けられてもよく、中心１２６に対するアンテナの位置又はオフセットは測定され／予め決められ、ロケータ１５０の位置処理モジュール又は論理回路において、信号１６２に基づいて中心１２６の位置を決定するために用いられてもよい。